(57)【要約】  家具の動的部品の開放段階または閉鎖段階を実施する制御装置は、開放段階または閉鎖段階を制御するばね手段に作用する少なくとも１つの電気モータからなると共に、開放段階または閉鎖段階中に作動される電気モータの作動手段を備える。
2011528588.tif 000002
【特許請求の範囲】
【請求項１】
家具の静的部品に対して動的部品の開放段階または閉鎖段階を実施する制御装置であって、前記開放段階または閉鎖段階を制御するばね手段に作用する少なくとも１つの電気モータと、前記開放段階または閉鎖段階中に作動される前記電気モータの作動手段とからなることを特徴とする制御装置。
【請求項２】
前記電気モータが、開放段階中においてのみ前記制御手段のばねに荷重をかけるようになされていることを特徴とする、請求項１に記載の家具の動的部品の開放段階または閉鎖段階を実施する制御装置。
【請求項３】
前記家具の動的部品が引き出しに固定された可動ガイドからなり、一方、前記静的部品が該可動ガイドに摺動可能に接続されると共に、前記家具の静的本体に固定される固定ガイドからなることを特徴とする、請求項１または２に記載の家具の動的部品の開放段階または閉鎖段階を実施する制御装置。
【請求項４】
前記家具の動的部品が、前記家具または引き出しの前板に対してスイングする扉からなることを特徴とする、請求項１または２に記載の家具の動的部品の開放段階または閉鎖段階を実施する制御装置。
【請求項５】
前記モータが、前記固定ガイドに装着され、引き抜きガイドの摺動軸に平行な軸に沿って動くようになされているスピンドルを有することを特徴とする、請求項３に記載の家具の動的部品の開放段階または閉鎖段階を実施する制御装置。
【請求項６】
前記ばね制御手段が、ばねラチェットからなり、ヘッドが、該ラチェットに対して引き出された位置および導入された位置で動かされると共にブロック可能であることを特徴とする、請求項１乃至５のいずれか１項に記載の家具の動的部品の開放段階または閉鎖段階を実施する制御装置。
【請求項７】
前記ラチェットおよび前記モータが、前記家具の静的部品に同軸で装着されることを特徴とする、請求項６に記載の家具の動的部品の開放段階または閉鎖段階を実施する制御装置。
【請求項８】
前記ラチェットのヘッドが、前記ラチェットの軸に対して横方向に延びる突出部を有し、前記引き抜きガイドに適用される第１の止め具と係合するようになされていることを特徴とする、請求項６または７に記載の家具の動的部品の開放段階または閉鎖段階を実施する制御装置。
【請求項９】
前記制御装置が、前記固定ガイドおよび前記引き抜きガイドのいずれか一方に装着される減速器を含み、第２の止め具が、該減速器と係合するようになされると共に、前記他の引き抜きガイドおよび前記固定ガイドのいずれか一方にさらに適用されることを特徴とする、請求項８に記載の家具の動的部品の開放段階または閉鎖段階を実施する制御装置。
【請求項１０】
前記ラチェットおよび前記電気モータが隔てられており、前記ラチェットのヘッドと係合する第１の端部を有する第１の摺動部、および前記電気モータのヘッドと係合する第１の端部を有する第２の摺動部が、前記第１の摺動部および第２の摺動部自体の軸に平行に摺動するように設けられており、前記第１の摺動部の第２の端部および前記第２の摺動部の第２の端部が、前記ラチェットに荷重を再びかけるために相互に係合するように成形されていることを特徴とする、請求項６に記載の家具の動的部品の開放段階または閉鎖段階を実施する制御装置。
【請求項１１】
前記両摺動部が同一平面上にあり、前記両第１の端部が折り曲げられており、前記電気モータおよび前記ラチェットが同軸であると共に互いから離れて面していることを特徴とする、請求項１０に記載の家具の動的部品の開放段階または閉鎖段階を実施する制御装置。
【請求項１２】
前記ばね制御手段が、前記固定ガイドに取り付けられる格納体を有すると共に、前記引き抜きガイドの一体ピンに取り付けるための要素またはその逆からなる自己閉鎖システムからなり、前記取り付け要素が、前記ピンを完全に閉じた位置にドラッグするためのばねの作用によって該ばねと反対に前記格納体内で移動可能であり、前記電気モータが、前記自己閉鎖システムに作用することを特徴とする、請求項１乃至９のいずれか１項に記載の家具の動的部品の開放段階または閉鎖段階を実施する制御装置。
【請求項１３】
前記電気モータが、軸方向に移動可能な方法で安全ばねと反対に該安全ばねの作用により前記静的部品によって支持されることを特徴とする、請求項１乃至１２のいずれか１項に記載の家具の動的部品の開放段階または閉鎖段階を実施する制御装置。
【請求項１４】
前記格納体において、前記引き抜きガイドの軸に平行に延びる直線的スロットによって形成されるガイドが、該直線的スロットの延長線上の第１の湾曲したスロットによって、および該直線的スロットの中間点から出発する第２のスロットによって得られ、前記取り付け要素が、軸の方向に離間した第１のピンおよび第２のピンを有し、これらのピンによって前記取り付け要素が前記ガイドに摺動可能に結合されることを特徴とする、請求項１２または１３に記載の家具の動的部品の開放段階または閉鎖段階を実施する制御装置。
【請求項１５】
前記自己閉鎖装置のばねが、前記格納体内で横方向に配置され、前記ばねの一端で前記格納体に関連し、前記ばねの他端で前記取り付け要素のフラップに接続されることを特徴とする、請求項１４に記載の家具の動的部品の開放段階または閉鎖段階を実施する制御装置。
【請求項１６】
前記電気モータが、前記自己閉鎖システムの取り付け要素と直接または間接に相互作用することを特徴とする、請求項１２乃至１５のいずれか１項に記載の家具の動的部品の開放段階または閉鎖段階を実施する制御装置。
【請求項１７】
前記取り付け要素が、前記家具の動的部品の閉じた位置において前記第２の中間スロットの直前で前記電気モータと接触する直線的スロットに配置されることを特徴とする、請求項１２乃至１６のいずれか１項に記載の家具の動的部品の開放段階または閉鎖段階を実施する制御装置。
【請求項１８】
請求項１乃至１７のいずれか１項に記載の制御装置を有する家具。
【発明の詳細な説明】
【技術分野】
【０００１】
本発明は、家具の引き出しや扉などの家具の動的部品の開閉を行うための制御装置に関する。
【背景技術】
【０００２】
知られているように、引き出しまたは扉などの家具の動的部品の開放段階または閉鎖段階を実施する様々な制御装置（ｃｏｎｔｒｏｌ  ｄｅｖｉｃｅｓ）が存在する。
装置にはラチェットを有するものもあり、このラチェットは、家具の動的部品の開放段階において動的部品に推力を与え、さらに、動的部品が閉じられるときにラチェットに荷重を再びかけるのに適した外力の付与を伴う。
【０００３】
このような状況においては、存在するいずれの自動閉鎖装置もラチェットの実施の場において効果的ではないため、使用者は引き出しまたは扉を手動で再び完全に閉じる行為を強いられる。
【発明の概要】
【発明が解決しようとする課題】
【０００４】
したがって、本発明によって提案される技術的目標は、従来技術の技術的欠点を解消することを可能にする、家具の動的部品の開放段階または閉鎖段階を実施する制御装置を提供することである。
【０００５】
この技術的目標の範囲内において、本発明の目的は、家具の動的部品の初期の開放移動を支援するラチェットに荷重を再びかけるために、家具の動的部品をその移動距離の終点（ｔｈｅ  ｅｎｄ  ｏｆ  ｉｔｓ  ｔｒａｖｅｌ）まで手動で閉鎖させることを使用者に強いることがなく、それに取り付けられる他の自動閉鎖装置の動作を可能にする、家具の動的部品の開放段階または閉鎖段階を実施する制御装置を実現することである。
【０００６】
本発明のさらに別の目的は、簡易的、効率的および耐摩耗性である、家具の動的部品の開放段階または閉鎖段階を実施する制御装置を実現することである。
【課題を解決するための手段】
【０００７】
本発明によるこれらの技術的目標および他の目的は、請求項１に記載の家具の動的部品の開放段階または閉鎖段階を実施する制御装置を実現することによって達成される。
新しい解決策の利点は、モータがこの装置を制御するばね手段に作用するだけであるため、これは、引き出しまたは扉の重量の変動によって影響を受けず、したがって、家具の動的部品のタイプを問わずに適用できることである。
【０００８】
本発明の他の特徴もまた、添付の特許請求の範囲において定められる。
本発明のさらなる特徴および利点は、純粋に以下の添付図面中の非限定的な例によって示される、本発明による家具の動的部品の開放段階または閉鎖段階を実施する制御装置の排他的でない好ましい実施形態の説明によってより明らかになろう。
【図面の簡単な説明】
【０００９】
【図１】引き出しのガイドに適用された、本発明の第１の好ましい実施形態による制御装置を示す平面図。
【図２】図１の制御装置の一部を示す拡大側面図。
【図３】図１の制御装置によってその動作中に順々に得られる位置を示す平面図。
【図４】図１の制御装置によってその動作中に順々に得られる位置を示す平面図。
【図５】図１の制御装置によってその動作中に順々に得られる位置を示す平面図。
【図６】図１の制御装置によってその動作中に順々に得られる位置を示す平面図。
【図７】引き出しのガイドに適用された、図１〜図６に示すものと同じ適用例を形成するが減速器と一体である、動作中に順々に得られる位置にある本発明の第２の好ましい実施形態による制御装置を示す平面図。
【図８】引き出しのガイドに適用された、図１〜図６に示すものと同じ適用例を形成するが減速器と一体である、動作中に順々に得られる位置にある本発明の第２の好ましい実施形態による制御装置を示す平面図。
【図９】引き出しのガイドに適用された、図１〜図６に示すものと同じ適用例を形成するが減速器と一体である、動作中に順々に得られる位置にある本発明の第２の好ましい実施形態による制御装置を示す平面図。
【図１０】引き出しのガイドに適用された、図１〜図６に示すものと同じ適用例を形成するが減速器と一体である、動作中に順々に得られる位置にある本発明の第２の好ましい実施形態による制御装置を示す平面図。
【図１１】引き出しのガイドに適用された、図１〜図６に示すものと同じ適用例を形成するが減速器と一体である、動作中に順々に得られる位置にある本発明の第２の好ましい実施形態による制御装置を示す平面図。
【図１２】引き出しのガイドに適用された、図１〜図６に示すものと同じ適用例を形成するが減速器と一体である、動作中に順々に得られる位置にある本発明の第２の好ましい実施形態による制御装置を示す平面図。
【図１３】扉または引き出し前板に適用された、その動作中に順々に得られる位置にある本発明の第３の好ましい実施形態による制御装置を示す立側面図。
【図１３ａ】図１３に示す制御装置のモータ・ロッドおよびラチェットの取り付けのためのシステムを示す平面図。
【図１４】扉または引き出し前板に適用された、その動作中に順々に得られる位置にある本発明の第３の好ましい実施形態による制御装置を示す立側面図。
【図１４ａ】図１４に示す制御装置のモータ・ロッドおよびラチェットの取り付けのためのシステムを示す平面図。
【図１５】扉または引き出し前板に適用された、その動作中に順々に得られる位置にある本発明の第３の好ましい実施形態による制御装置を示す立側面図。
【図１５ａ】図１５に示す制御装置のモータ・ロッドおよびラチェットの取り付けのためのシステムを示す平面図。
【図１６】扉または引き出し前板に適用された、その動作中に順々に得られる位置にある本発明の第３の好ましい実施形態による制御装置を示す立側面図。
【図１６ａ】図１６に示す制御装置のモータ・ロッドおよびラチェットの取り付けのためのシステムを示す平面図。
【図１７】扉または引き出し前板に適用された、その動作中に順々に得られる位置にある本発明の第３の好ましい実施形態による制御装置を示す立側面図。
【図１７ａ】図１７に示す制御装置のモータ・ロッドおよびラチェットの取り付けのためのシステムを示す平面図。
【図１８】引き出しのガイドに適用された本発明の第４の好ましい実施形態による制御装置を示す平面図。
【図１９】異なる操作位置における図１８の制御装置を示す拡大平面図。
【図２０】ａ）〜ｆ）で示す順次動作ステップにおける図１８の制御装置を示す平面図。
【発明を実施するための形態】
【００１０】
本発明の様々な実施形態における同様の部分は、同じ参照番号を用いて示される。
参照番号１を用いて全体的に示される、家具の静的部品に対して動的部品の開放段階または閉鎖段階を実施する制御装置は、開放段階または閉鎖段階を制御するばね手段に作用する少なくとも１つの電気モータ３からなり、具体的には、知られたタイプの（したがって本明細書では詳細に説明されていない）ばね（図示せず）のラチェット４からなるものである。
【００１１】
さらに、上記開放段階または閉鎖段階中に作動される上記電気モータの作動手段が設けられる。
具体的には、電気モータ３は、上記開放段階においてのみラチェット４のばねに荷重をかけるのに適している。
【００１２】
第１の解決策（図１〜図６）、第２の解決策（図７〜１２）、および第４の解決策（図１８〜図２０）において、家具の動的部品は、引き出しに固定された可動ガイド２からなり、一方、静的部品は、可動ガイド２に摺動可能に接続された（ｓｌｉｄａｂｌｙ  ａｓｓｏｃｉａｔｅｄ  ｗｉｔｈ）、家具の静的本体に固定される固定ガイド１５からなる。
【００１３】
第３の解決策（図１３〜図１７）において、家具の動的部品は、静的部品、例えば側パネル８５に接続された自在扉８２または引き出し前板からなる。
第１の解決策（図１〜図６）、および第２の解決策（図７〜図１２）においては、任意のタイプの電気モータ３は、固定ガイド１５に取り付けられ、電気モータ３のスピンドル１４は、引き抜きガイド２の摺動に対して平行な軸線に沿って動くのに適している。
【００１４】
ラチェット４は、電気モータ３に対して同軸で固定ガイド１５上に配設されており、さらに、ラチェット４の本体の近くに保持されるように、または、そこから突き出されて、止め具１７に作用することにより、止め具１７と一体になっている引き抜きガイド２の外側への摺動によって引き出しを開放させるように、ラチェット４内部のばねと反対にその作用によって動くのに適しているヘッド１６を備える。
【００１５】
適切には、図２中の例によってはっきりと分かるように、ラチェット４は、スピンドル１４に対して同軸で配設され、ラチェット４のヘッド１６は、ヘッド１６の移動軸Ｌに対して横方向に（ｌａｔｅｒａｌｌｙ）延びる突出部８０を有し、それによってヘッド１６は、上記の通り、引き抜きガイド２に配設された止め具１７と係合することができる。
【００１６】
引き出しの開放段階において、例えば、ラチェット４はヘッド１６に直接または間接に圧力をかけることによって作動される。
この段階において、この圧力はヘッド１６をリリースし、これは、ばねにより止め具１７に作用し、引き出しを部分的に開放することを可能にする力を引き抜きガイド２に与え、引き出しは、次いで使用者により手動で完全に開かれることになる。
【００１７】
ラチェット４のヘッド１６を押し付ける段階を図３に示す。
図４は、ラチェット４からのヘッド１６の最大突出位置を示しており、引き抜きガイド２に引き出しを部分的に開放するために十分な推力を与えた後に、ヘッド１６は、スピンドル１４と接触することになり、電気モータ３の作動信号を生成する。
【００１８】
図５において理解できるように、この時点で、電気モータ３が作動され、モータ・ユニットから突出するスピンドル１４は、電気モータ３から離れるように動いて、ばねを押し付けて、ラチェット４のヘッド１６を、それをブロックできる位置まで後退させる。
【００１９】
図６に示すように、スピンドル１４がラチェット４を初期位置まで戻したら、スピンドル１４はモータ・ユニットに向かって戻り、ラチェットを初期静止位置に到達させる。
この段階において、ラチェット４は荷重を再びかけられて、電気モータ３は静止位置にあって、一方、引き抜きガイド２は突出しており、止め具１７は電気モータ３を越えて移動しており、したがって操作者が引き出しを手動で完全に開放することを可能にする。
【００２０】
引き出しの閉鎖段階においては、以下のステップが連続して行われる。
引き抜きガイド２の下の適切な位置において、固定ガイド１５は、一般に知られているタイプの引き出しの自己閉鎖装置２９を備え、自己閉鎖装置２９の内部には張力ばね２０、および成形されたガイド内で摺動可能な取り付け要素２１がある。
【００２１】
引き出しの閉鎖段階中、引き抜きガイド２は、初期位置に戻る傾向があり、それと一体のドラッギング・ピン（ｄｒａｇｇｉｎｇ  ｐｉｎ）２２は取り付け要素２１と係合することによって、取り付け要素２１をそれが収容されている本体２３から離脱させて、閉鎖位置に向かって、取り付け要素２１にストレスを加えるばね２０によってピン２２がドラッグすること（ｄｒａｇｇｉｎｇ）を可能にする。
【００２２】
ばね２０が一部荷重を除かれて、止め具１７がラチェット４のヘッド１６と接触しているときには、ラチェット４のヘッド１６のばねには荷重が再びかけられており、取り付け要素２１はピン２２をその移動距離の終点へ移動させており、そこで引き出しは閉じた位置にある。
【００２３】
システム全体は、さらなる圧力を加えることによって引き出しを開放するように再び使用される状態にある。
第２の解決策（図７〜図１２）は、引き出しの閉鎖を減速させるのに適している知られたタイプの減速器３０を付加することだけが第１の解決策（図１〜図６）とは異なっている。そのため、この操作によって、引き出しと家具との間の突然の衝撃による騒音または他の欠点が生じない。
【００２４】
この場合、減速器３０は、固定ガイド１５上の電気モータ３およびラチェット４に対して同軸で装着されるが、減速器３０は、任意の他の適切な位置に配設されてもよい。
横方向に延び、それにより減速器３０と係合できるようになっている第２の止め具３１は、引き抜きガイド２に固定されている。
【００２５】
引き出しの開放段階または閉鎖段階は、前述のものと同一である。
具体的には、開放段階において、止め具１７は、図８に示す位置に対する圧力を受けてラチェット４のヘッド１６から離され、同様に、図９に示すように、第２の止め具３１が減速器３０から離される。
【００２６】
この段階において、減速器３０は任意の動作タイプであってよく、そこからプッシャ３２を突出させる。
図１０および図１１は、ラチェット４およびスピンドル１４が初期位置に戻る、電気モータ３によるラチェット４の再荷重段階を示す。
【００２７】
引き出しの閉鎖中、図１２に示すように、引き抜きガイド２の一体ピン２２が自己閉鎖システムの取り付け要素２１を用いて取り付けられ、ばね２０が引き出しを閉じた位置に向かってドラッグし始めると、減速プッシャ３２が後退させられて、止め具１７がラチェット４のヘッド１６に当たって静止している図７に示す位置にシステムが戻るまで、第２の止め具３１が当たって係合している減速器３０によって減速が実施される。
【００２８】
第３の解決策（図１３〜図１７）は、家具に対してスイングする扉について、または引き出しの前パネルについての同じ原理に従って動作する。
図１３において、動的部品は、例えば、家具の自在扉８２であり、一方、静的部品は、家具８５の側パネルである。
【００２９】
具体的には、この場合、装置１は、ラチェット４およびそれに対して同軸の電気モータ３が内部に配設された格納体４３を表す。
ラチェット４および電気モータ３は、格納体４３内に画定される分割隔壁４６によって相互に隔てられ、相対する方向に向けられている。
【００３０】
ラチェット４および電気モータ３のスピンドルの共通軸Ｌに平行な２つの摺動部５６，５７は、摺動可能である。
摺動部５６は、ラチェット４のヘッドと係合する折り曲げられた端部５８を有し、一方、摺動部５７は、電気モータ３のヘッドと係合する折り曲げられた端部５９を有する。
【００３１】
２つの摺動部５６，５７の他端は、鉤状６０，６１であり、その理由を以下により詳しく説明する。
好ましくは、２つの摺動部５６，５７は、平坦で、同一平面上にあり、格納体４６の適用可能な低部または基部ガイド５５内で摺動可能に含まれる。
【００３２】
開放段階では、図１４に示すように、ラチェット４のヘッドは、ラチェット４をリリースして、したがって推力により扉を開放させるように圧力を加える。
ラチェット４の作動により、ラチェット４のヘッドの動きが引き起こされて、扉の初期の部分的な開放を引き起こす。この段階において、摺動部５６は、それが収容されているガイド５５から突出し、鉤状端部６０は、鉤状端部６１と係合し、電気モータ３を作動するようにインパルスを電気モータ３に送る（図１５）。
【００３３】
電気モータ３の作動により、そのヘッドの突出が引き起こされ、それにより摺動部５６，５７を移動させ、さらにラチェット４をブロックさせる位置まで格納体４３（図１６）内部のラチェット４のヘッドを後退させる。
【００３４】
次いで、電気モータ３のヘッドは、摺動部５７をドラッグしつつ後退し、ラチェット４のヘッドは、そのヘッドがその移動距離の終点に到達し、ラチェット４が荷重を再びかけられると、図１７に示すように摺動部５６をドラッグしつつ初期位置に戻る。
【００３５】
この時点で、システムはもう１度作動され、扉は、一般に入手可能な別個の、または一体の任意の自動閉鎖装置をヒンジに用いて支障なく閉鎖できる。
本発明の第４の好ましい実施形態による制御装置を図１８、図１９および図２０（図２０のａ）〜ｆ））に示す。
【００３６】
再度、ラチェット４が固定ガイド１５に接続され、さらに自己閉鎖装置２９が固定ガイド１５上に配置されるが、これらは固定ガイドおよび引き抜きガイド上にやはり異なったやり方で配置され得る。
【００３７】
本発明の第１および第２の好ましい実施形態に見られるように、自己閉鎖装置２９は、固定ガイド１５に装着される格納体２３を示し、引き抜きガイド２の一体ピン２２によってドラッグできる取り付け要素２１が、内部で摺動可能である。
【００３８】
電気モータ３は、格納体２３内に配置され、一方、ラチェット４は、格納体２３の外側にある。
格納体２３にはガイド７１が設けられており、このガイド７１は、軸Ｌに平行に延びる直線的スロット７２によって、直線的スロット７２の延長上の第１の湾曲したスロット７３によって、さらに、直線的スロット７２の中間点から出発する空洞または第２のスロット７４によって形成される。
【００３９】
取り付け要素２１は、軸Ｌの方向に離間された第１のピン７５および第２のピン７６を備え、これらによってガイド７１に取り付けられる。
取り付け要素２１はフラップ７８を備えており、このフラップ７８にばね２０の一端が接続され、さらに、ばね２０の他端が格納体２３に接続される。
【００４０】
ばね２０は、格納体２３に対して横方向に配置されて、取り付け要素２１を枢動し易くさせる。
本実施形態では、電気モータ３は、電気モータ３と格納体２３の底部との間に挿置される安全ばね７７と反対にその作用によって軸方向に移動可能である。
【００４１】
止め具１７は、引き抜きガイド２上に一体に配設される。
家具、例えば、引き出しまたは扉の動的部品の開放段階において、図２０のａ）に示される位置から、ｂ）に示される位置まで通過して、ｂ）では、ヘッドのリリースおよび突出を可能にすると共に家具の動的部品の開放を可能にするように、ラチェット４が止め具１７によってわずかに押し付けられている。
【００４２】
この段階において、ピン２２およびばね２０は、ピン２２がリリースされている取り付け要素２１を後退および枢動させる。
具体的には、ピン７６は直線的スロット７２の移動距離の終点に到達し、ピン７５はスロット７４に接続する。
【００４３】
同時に、センサの信号により電気モータ３のスピンドルの作動および後退が引き起こされ、一方、圧力により、安全ばね７７と反対に電気モータ３のわずかな後退がもたらされる。実質上、ばね７７は、外圧がラチェット４にかかる時とは無関係に、制御装置の動作の安全を保証するように働く（図２０のｂ））。実際には、この段階において、電気モータ３のスピンドルは、所定の速度で後退し、同時にばね７７を押し付けることができ、外圧があまりに早く取り除かれる場合でも、取り付け要素２１がピン２２を依然としてリリースすることを確実にする。外圧が取り除かれるとき、およびモータが自己閉鎖システムのばね２０に荷重をかける前の、制御装置の位置は、安全ばね７７が十分な剛性を有しなければならないため、どのような場合でも常に図２０のｂ）に示すものである。
【００４４】
ばね７７の押し付けおよびピン２２の動きにより、引き出しの閉じた位置（位置ａ）に対応するピン２２の位置に関連している第１のモータ・ブロック信号が無くなり、移動距離の終点までスピンドルが後退することを可能にする。ここで、第２のモータ・ブロック信号は、取り付け要素２１の存在によって中立にされ、したがってモータ３のスピンドルの動きを逆転することが可能になる。
【００４５】
次いで、ｃ）の位置から理解できるように、引き抜きガイド２は、止め具１７がラチェット４から受けた推力の結果として自由に動くことができ、完全な開放が使用者によって行われ得る。
【００４６】
ピン２２は、自己閉鎖システムからリリースされており、モータ３は、取り付け要素２２を押し出すために、ピン７５がスロット７３内に係合している格納体２３とのその係合位置までばね２０の作用と反対に作動されている。この位置に到達すると、モータ３のスピンドルは、ｄ）に示す移動位置の終点まで自動的に戻り、第２のブロック信号によりそこに留まる。
【００４７】
閉鎖段階において、電気モータ３のスピンドルが静止位置に戻った後、ピン２２が取り付け要素２１と再度係合した直後に、止め具１７はラチェット４と接し、取り付け要素２１は、格納体２３からリリースされるため、ばね２０が戻る結果として閉鎖する方向にピン２２をドラッグする（位置ｄ））。
【００４８】
この解決策において、家具の動的部品の閉鎖段階中にそれに荷重を再びかけることを可能にするために後者の力が打ち勝つことができるように自己閉鎖システムのばね２０の力は、ラチェット４のばねの力より大きいことに留意されたい。
【００４９】
ｅ）に示す位置において、ばね２０は取り付け要素２１をモータ３のスピンドルに接触させており、一方、止め具１７はラチェット４を押し付けており、それにより荷重位置でその取り付けを可能にする。取り付け要素２１の存在は、第２のモータ・ブロック信号を中立にし、それによりスピンドルは、位置ａ）と同一の引き出しの閉じた位置に対応する位置のピン２２の存在によるブロックによりモータがブロックされるｆ）に示す位置へ動かされる。
【００５０】
このように考えられた制御装置は、多数の修正形態および変形形態が可能であり、全て本発明の概念の範囲内に含まれるものであり、さらに全ての詳細は、他の技術的に均等な詳細によって置き換えることができる。
【００５１】
実際には、使用される材料および寸法は、当技術分野の要求および状態に応じて任意のものであってよい。
【図１】
2011528588.tif 000003
【図２】
2011528588.tif 000004
【図３】
2011528588.tif 000005
【図４】
2011528588.tif 000006
【図５】
2011528588.tif 000007
【図６】
2011528588.tif 000008
【図７】
2011528588.tif 000009
【図８】
2011528588.tif 000010
【図９】
2011528588.tif 000011
【図１０】
2011528588.tif 000012
【図１１】
2011528588.tif 000013
【図１２】
2011528588.tif 000014
【図１３】
2011528588.tif 000015
【図１３ａ】
2011528588.tif 000016
【図１４】
2011528588.tif 000017
【図１４ａ】
2011528588.tif 000018
【図１５】
2011528588.tif 000019
【図１５ａ】
2011528588.tif 000020
【図１６】
2011528588.tif 000021
【図１６ａ】
2011528588.tif 000022
【図１７】
2011528588.tif 000023
【図１７ａ】
2011528588.tif 000024
【図１８】
2011528588.tif 000025
【図１９】
2011528588.tif 000026
【図２０ａ）】
2011528588.tif 000027
【図２０ｂ）】
2011528588.tif 000028
【図２０ｃ）】
2011528588.tif 000029
【図２０ｄ）】
2011528588.tif 000030
【図２０ｅ）】
2011528588.tif 000031
【図２０ｆ）】
2011528588.tif 000032
【国際調査報告】
2011528588.tif 000033
2011528588.tif 000034